(57)【特許請求の範囲】
【請求項１】
側周壁を形成する枠体の上下何れかの一面を閉鎖面とし、他面を自立可能な開口面としたこと、前記閉塞面には、自立不能な別容器の底部を支承する容器支持部を形成したこと、前記閉塞面と前記側周壁及び密閉する前記開口面で形成する空間を食品収容部としたこと、を特徴とする食品容器兼用可能な容器支持台。
【請求項２】
容器支持部が、別容器の底部に嵌合して支承する凹部を形成して成ることを特徴とする請求項１記載の食品容器兼用可能な容器支持台。
【請求項３】
容器支持部が、別容器の底部と接して支承する凸部を形成して成ることを特徴とする請求項１記載の食品容器兼用可能な容器支持台。
【請求項４】
別容器と離脱可能に連係していることを特徴とする請求項１乃至３記載の食品容器兼用可能な容器支持台。
【請求項５】
側周壁の延設面に係止部を形成し、別容器の上面に冠着自在としたことを特徴とする請求項１乃至４記載の食品容器兼用可能な容器支持台。
【発明の詳細な説明】
【技術分野】
【０００１】
本発明は食品容器兼用可能な容器支持台に関するものである。
【背景技術】
【０００２】
例えば菓子の中で、水羊羹やゼリー（動物系のゼラチンや、植物系のペクチン・寒天・カラギーナンなどのゲル化剤で凝固させた形態の菓子を称する。）等は、容器に封入されて販売されているものが多く見られ、飲食する時には中身のゼリー等を容器から食器等に移して味わうように求められている。
【０００３】
そして、食器等に移す場合は、容器を反転させ、ゼリー等の形態を維持した状態で移すのであり、ゼリー等は容器の底部の面が上方位置と成って食器等に載せられて提供することが期待されている。
そのため、食器上での見栄えを良くするためにゼリー等の上部面（容器の下部に当たる。）がドーム状の形態が多く採用され、その様に成形できる容器形状としているのである。
【０００４】
そこで、この種の菓子製品は、広く大きく開口した面から垂状に周囲を狭くして頂部を形成した容器へ、当該容器の開口した面からゼリー等の原料を注入して収容し、開口した面を密着蓋やフィルムで密封する工程で製造されるのが一般的である。
そして、通常は開口した密着蓋やフィルムで密封した面を上面として、販売店舗内での展示や包装箱詰めを行なっている。
【０００５】
したがって、容器の底面となる部分は球面や先鋭面となり、容器自体で自立できないか、安定性を欠くため、自立での商品展示の問題があり、また、包装箱詰めにも安定化を図る専用の仕切りや受け材等が必要となる。
【０００６】
関連する先行文献として、特開２００１−１６３３４０号公報では、底部に蒸し蒸気を通す孔を有する丼と、該丼着脱自在、気密に連結され、蒸し蒸気を逃がす孔を有する蓋とからなり、該蓋を手盆として共用できる食品容器が開示されている。
【０００７】
また、特開平７−１１２７７２号公報では、頂部とその反対側に開口部を有する略逆錐体形状の容器本体と、前記容器本体を密封する蓋体とを備える包装用容器であって、前記容器本体の外周面に取り外し可能に嵌合固定する錐台リング形状に形成された外装リング体を備え、前記外装リング体は、前記容器本体の外周面に嵌合固定された前記外装リング体を取り外し反転して前記容器本体の頂部側に嵌合したとき置き台となるようにしたものも開示されている。
【先行技術文献】
【特許文献】
【０００８】
【特許文献１】特開２００１−１６３３４０号公報
【特許文献２】特開平０７−１１２７７２号公報
【発明の概要】
【発明が解決しようとする課題】
【０００９】
そこで、本発明は、底面に自立水平面を有しない容器であっても、支承して展示及び包装箱詰めも可能であり、更に、容器から直接製品を掬いだして飲食するのに不自然がなく、容器を支持できる台として利用できる食品容器兼用可能な容器支持台を提供せんとするものである。
【課題を解決するための手段】
【００１０】
本発明の請求項１に係る食品容器兼用可能な容器支持台の発明は、側周壁を形成する枠体の上下何れかの一面を閉鎖面とし、他面を自立可能な開口面としたこと、前記閉塞面には、自立不能な別容器の底部を支承する容器支持部を形成したこと、前記閉塞面と前記側周壁及び密閉する前記開口面で形成する空間を食品収容部としたことを特徴とするものである。
【００１１】
請求項２の発明は、請求項１記載の食品容器兼用可能な容器支持台の発明において、容器支持部が、容器本体の底部に嵌合して支持する凹部を形成して成ることを特徴とするものである。
【００１２】
請求項３の発明は、請求項１記載の食品容器兼用可能な容器支持台の発明において、容器支持部が、容器本体の底面と接して支持する凸部を形成して成ることを特徴とするものである。
【００１３】
請求項４の発明は、請求項１乃至３記載の食品容器兼用可能な容器支持台の発明において、別容器と離脱可能に連係していることを特徴とするものである。
【００１４】
請求項５の発明は、請求項１乃至４記載の食品容器兼用可能な容器支持台の発明において、側周壁の延設面に係止部を形成し、別容器の上面に冠着自在としたことを特徴とするものである。
【発明の効果】
【００１５】
請求項１の発明における食品容器兼用可能な容器支持台は、側周壁を形成する枠体の上下何れかの一面を閉鎖面とすると共に、他面を自立可能な開口面とし、この閉塞面には、別容器の底部を支承する容器支持部を形成したものであるから、閉塞面と側周壁及び密閉する前記開口面で形成する食品収容部に食品を収容可能となり、食品容器として使用できる効果を有する。
【００１６】
また、容器支持部で、底部に自立水平面を有しない別容器を支承可能であるから、自立に問題のある容器の展示及び包装箱詰めが容易となる効果を有する。
食品容器としても使用した場合、製品を収容することによって全体の重量が増し、支持台としての支承の安定性を増大させる効果も発揮する。
【００１７】
さらに、容器支持部に別容器の底部を支承して、飲食に提供することもでき、別容器を食品容器支持台から取り持ち、或いは手を添えて、別容器に収容した食品を直接掬い摂れば、食器等に移さなくとも体裁よく飲食することが出来る効果を発揮する。
【００１８】
請求項２及び請求項３の発明は、請求項１の効果に加えて、容器支持部が、別容器の底部に嵌合して支持する凹部を形成し、又は別本体の底部と接して支持する凸部を形成したものであるから、別本体の底部に嵌合又は係合して確実に支承することができる効果を発揮するものである。
【００１９】
請求項４の発明は、請求項１乃至３の効果に加えて、別容器と離脱可能に連係しているため、別容器との関連が強くなり、分離や紛失も防止でき、一体的な取り扱いも至便に成ると共に、連係を離脱すれば載置台としての利用も容易にできる効果を発揮する。
【００２０】
請求項５の発明は、請求項１乃至４の効果に加えて、側周壁の延設面に係止部を形成し、別容器の上面に冠着自在としたため、外観上は通常の蓋として感得され、係止状態が良好で脱着も容易であり、分離や紛失も防止でき、一体的な取り扱いも至便と成る効果を有する。
また、この種容器は容器の開口面をフィルムで密閉してあるから、蓋として容器との関連性が看取されれば、擬似蓋に意匠的な効能も得られる効果も期待できるものである。
【図面の簡単な説明】
【００２１】
【図１】本発明の一実施の形態の一部断面とした正面図である。
【図２】図１の容器支持台とした使用の状態を示す正面図である。
【図３】図１の別容器と関連付けた使用の状態を示す正面図である。
【図４】本発明の他の実施形態を示す簡略化した平面図である。
【図５】本発明の容器支持部の他の実施の形態を示す平面図である。
【図６】本発明の他の実施の形態を示す断面図である。
【発明を実施するための形態】
【００２２】
本発明の実施の形態を図面基づいて説明する。
図１は本発明の一実施の形態の一部断面とした正面図、図２は容器支持台とした使用の状態を示す正面図、図３は別容器と関連付けた使用の状態を示す正面図である。
【００２３】
食品容器兼用可能な容器支持台１は、従来と同様の食品の容器に用いられる軟質の樹脂素材で成型され、側周壁７を形成する枠体と、その上下何れかを閉鎖する閉鎖面６とより成る。
閉塞面６を底面とし側周壁７及び密閉する前記開口面で形成する空間の食品収容部１０に食品を収容可能であり、食品容器としても使用可能である。
また、閉塞面６には別容器２の底部４を支承する容器支持部８が形成してあり、閉塞面６を上面として自立可能な開口面で水平に維持すれば、図２のように容器支持台として使用できるように成っている。
【００２４】
図３は、食品容器兼用可能な容器支持台１が、上面が開口３され、底面に自立水平面を有しない別容器２の擬似蓋の如く関連付けて使用されている状態を示す。
別容器２も従来と同様の食品の容器に用いられる軟質の樹脂素材で成型される。
【００２５】
食品容器兼用可能な容器支持台１には、側周壁７の延設面７２の内面に係止部９が形成され、別容器２の上面に冠着可能に着脱でき、外観上は通常の蓋として看取され、一体的な取り扱いが行なえることとなる。
この種の菓子容器は開口面をフィルムで密閉してあるから、別容器２の開口３を閉じる目的を有するものでなく、蓋の如く別容器２との関連性が看取されれば、擬似蓋としての意匠的な作用を期待できる。
【００２６】
別容器２は、広く大きく開口３した上面から垂状に周囲を狭くして下面に頂部を成し、底部に自立水平面を有しない逆さドーム状に形成されている。
そして、例えば菓子製品であるゼリーの原料を、開口３した上面から注入して充填し、開口３の面をフィルム（図示せず。）で縁７１に接着密封して製造されるのが一般的である。
【００２７】
図１乃至図３では、容器支持部８が、別容器２の底部４に嵌合して支持する凹部８Ａに形成してある。
別容器２を支持するための充分な凹部８Ａを形成するため、側周壁７は高さを有し、通常の蓋のイメージより厚み（高さ）を有するものと成る。
【００２８】
また、この種の別容器１は、通常は開口３した面をフィルムで密封した平面を上面として、陳列棚での展示や包装箱詰めを行なうものであるけれど、単独では、容器の底面となる部分は球面や先鋭面となり、容器として自立できないか、安定性を欠くものである。
【００２９】
そこで、図２に示すように、食品容器兼用可能な容器支持台１を別容器２から分離して、側周壁７で閉塞面６を水平に維持し、別容器２の底部４を閉塞面６の凹部８Ａに嵌合して支承することで、自立に問題のある別容器２の展示及び包装箱詰めが安定する。
また、別容器２を食品容器兼用可能な容器支持台１の閉塞面６に支承して飲食に提供する事ができ、別容器２を閉塞面６から取り持ち、或いは手を添えて、収容した食品を別容器２から直接掬い摂れば、食器に移さなくとも体裁よく食することが出来る作用も奏する。
【００３０】
別容器２の形状は、逆さドーム状（半球状）に限らず、角錐状に窄んで底面を僅かの水平面とするものや、上部は角錐状で下部は球状としたものでも良い。
また、図１乃至図３では、側周壁７の下端部内面に形成した係止部９で別容器２に冠着可能としてあるけれど、図４に示すように、別容器２と継片５で連係し、継片５を切断することで離脱可能にしてもよい。
【００３１】
図５は容器支持部８の他の実施の形態を示す平面図であり、別容器２の底部４と接して支承する凸部８Ｂを形成したものである。
凸部８Ｂのリング状に形成された内側面は、当接支持する別容器２の底部４に応じた斜面とするのがふさわしい。
また、凸部８Ｂは、リング状の一部が欠損した形状とするのも良く、更に、同心円上の位置に三箇所以上の凸部を配置したものとしても良い。
【００３２】
また、図６は他の実施の形態を示す断面図であり、擬似蓋の様相を呈しない形態としたもので、別容器２を支承するための凸部８Ｂを閉塞面６に形成し、側周壁７とに食品を収容する食品収容部１０を有するものである。
【００３３】
別容器２を支承するための凹部８Ａを形成した疑似蓋とする場合は、側周壁７は高さを有し、内側には食品を収容する食品収容部１０を容易に確保でき、延設面７２の段部に密封フィルムを接着すればよい。
また、別容器２を支承するための凸部８Ｂを形成する場合は、食品を収容する食品収容部１０を確保するための側周壁７の高さは任意に設定すればよい。
【００３４】
以上のように、本発明を図面に基づいて説明した実施の形態における具体的構成は一例であり、同様の作用効果を得られる他の構成又は手段を排除するものではない。
【符号の説明】
【００３５】
１    食品容器兼用可能な容器支持台
２    別容器
３    開口
４    底部
５    継片
６    閉塞面
７    側周壁
８    容器支持部
８Ａ  凹部
８Ｂ  凸部
９    係止部
１０  食品収容部
７１  縁
７２  延設面
【図１】
0005826687.tif 000002
【図２】
0005826687.tif 000003
【図３】
0005826687.tif 000004
【図４】
0005826687.tif 000005
【図５】
0005826687.tif 000006
【図６】
0005826687.tif 000007